(57)【特許請求の範囲】
【請求項１】
ネットワークにおいて同一のセグメントに接続された複数の無線アクセスポイントと、少なくとも１つ以上のカラオケ演奏端末とを備え、無線通信機能を備えたカラオケリモコン装置が、前記無線アクセスポイントのいずれか１つとの間で無線通信を行うことにより、当該カラオケリモコン装置と関連付けられたカラオケ演奏端末において少なくとも選曲予約操作を行うことが可能なカラオケシステムであって、
前記複数の無線アクセスポイントに対して、前記ネットワークにおいてＤＨＣＰ機能により付与されるＩＰアドレスに基づいて、当該ＩＰアドレスと関連性のあるＥＳＳＩＤを所定のアルゴリズムにより自動生成し、当該自動生成した同一のＥＳＳＩＤを設定するＥＳＳＩＤ設定手段と、
前記ＥＳＳＩＤが設定された任意のカラオケリモコン装置が無線通信を行っている任意の無線アクセスポイントとの接続が途絶えた場合に、前記同一のＥＳＳＩＤが付与された他の無線アクセスポイントのいずれか１つにローミングを行うローミング手段と、
を備えたことを特徴とするローミング機能を備えたカラオケシステム。
【発明の詳細な説明】
【技術分野】
【０００１】
本発明は、ローミング機能を備えたカラオケシステムに関するものであり、詳しくは、カラオケリモコン装置と通信可能な複数のアクセスポイントを備え、カラオケリモコン装置とアクセスポイントとの間の通信が途絶えた場合に、速やかに他のアクセスポイントにローミングすることが可能なカラオケシステムに関するものである。
【背景技術】
【０００２】
現在普及しているカラオケシステムは、無線通信機能を備えたカラオケリモコン装置を用いて選曲予約等、カラオケ演奏端末に対して種々の操作を行っている。また、一般的なカラオケボックス店では、複数の部屋にそれぞれカラオケ演奏端末が設置されており、各カラオケ演奏端末はルータを介してＬＡＮ接続されている。また、カラオケ演奏端末がＬＡＮ接続されたネットワークの同一セグメントには、複数のアクセスポイントがＬＡＮ接続されており、カラオケリモコン装置とアクセスポイントとの間でデータの送受信を行うことにより、当該カラオケリモコン装置と関連付けられたカラオケ演奏端末において、選曲予約等の操作を行うことができるようになっている。
【０００３】
このように複数のアクセスポイントを備えたネットワークにおいては、無線通信の混信を避けるため、各アクセスポイントにＥＳＳＩＤ（Ｅｘｔｅｎｄｅｄ  Ｓｅｒｖｉｃｅ  Ｓｅｔ  Ｉｄｅｎｔｉｆｉｅｒ）を設定し、カラオケリモコン装置に対して、通信を許可するアクセスポイントと同一のＥＳＳＩＤを設定することにより、当該カラオケリモコン装置が当該通信を許可されたアクセスポイントと接続を行うことができるようにしている。
【０００４】
従来、アクセスポイントと端末装置との間で適切な接続状態を確立するための技術が種々提案されている（例えば、特許文献１参照）。特許文献１に記載された技術は、サーバとアクセスポイントの間で接続を確立するステップと、サーバとアクセスポイントの間に適切な接続が存在するかどうかを判断するために、所定の間隔でサーバに問い合わせるステップと、サーバとアクセスポイントの間に不適切な接続が存在すると判断したときに、アクセスポイントの接続オプションを再構成するステップとを含むことにより、アクセスポイントと端末装置との間で適切な接続状態を確立できるとした技術である。
【先行技術文献】
【特許文献】
【０００５】
【特許文献１】特開２００５−１８４８４４号公報
【発明の概要】
【発明が解決しようとする課題】
【０００６】
ところで、カラオケリモコン装置とアクセスポイントとの間における接続が途絶えた場合には、カラオケリモコン装置にインストールされた通信アプリケーションにより、再度アクセスポイントとの接続を試みなければならない。この通信アプリケーションによる再接続処理は、複数の接続確立ステップが必要であり、再接続までに時間を要するという問題がある。
【０００７】
すなわち、カラオケリモコン装置とアクセスポイントとの間における接続が途絶えてしまうと、当該カラオケリモコン装置を用いた選曲予約等の操作を行うことができず、カラオケユーザに迷惑をかけることになる。そこで、カラオケリモコン装置とアクセスポイントとの間における接続が途絶えた場合に、速やかにアクセスポイントとの接続を回復させることが可能な技術の開発が望まれていた。
【０００８】
本発明は、上述した事情に鑑み提案されたもので、カラオケリモコン装置とアクセスポイントとの間で接続が途絶えた場合であっても、速やかに他のアクセスポイントとの間における接続を確立することが可能なローミング機能を備えたカラオケシステムを提供することを目的とする。
【課題を解決するための手段】
【０００９】
本発明のローミング機能を備えたカラオケシステムは、上述した目的を達成するため提案されたもので、以下の特徴点を有している。すなわち、本発明のローミング機能を備えたカラオケシステムは、ネットワークにおいて同一のセグメントに接続された複数の無線アクセスポイントと、少なくとも１つ以上のカラオケ演奏端末とを備え、無線通信機能を備えたカラオケリモコン装置が、無線アクセスポイントのいずれか１つとの間で無線通信を行うことにより、当該カラオケリモコン装置と関連付けられたカラオケ演奏端末において少なくとも選曲予約操作を行うことが可能なカラオケシステムであって、ＥＳＳＩＤ設定手段と、ローミング手段とを備えたことを特徴とするものである。
【００１０】
ＥＳＳＩＤ設定手段は、複数の無線アクセスポイントに対して、ネットワークにおいてＤＨＣＰ機能により付与されるＩＰアドレスに基づいて、当該ＩＰアドレスと関連性のあるＥＳＳＩＤを所定のアルゴリズムにより自動生成し、当該自動生成した同一のＥＳＳＩＤを設定するための手段である。
【００１１】
ローミング手段は、ＥＳＳＩＤが設定された任意のカラオケリモコン装置が無線通信を行っている任意の無線アクセスポイントとの接続が途絶えた場合に、同一のＥＳＳＩＤが付与された他の無線アクセスポイントのいずれか１つにローミングを行うための手段である。
【発明の効果】
【００１２】
本発明のローミング機能を備えたカラオケシステムによれば、同一のネットワークに接続された複数の無線アクセスポイントに対して同一のＥＳＳＩＤを設定するため、当該ＥＳＳＩＤが設定された任意のカラオケリモコン装置が無線通信を行っている任意の無線アクセスポイントとの接続が途絶えた場合であっても、直ちに、同一のＥＳＳＩＤが付与された他の無線アクセスポイントのいずれか１つに再接続することができる。
【００１３】
したがって、カラオケリモコン装置とアクセスポイントとの間における接続が途絶えた場合であっても、速やかにアクセスポイントとの接続が回復されるので、カラオケリモコン装置を用いた選曲予約等の操作を行うことができない期間を最小限に抑えることができ、カラオケユーザに焦燥感や不快感を与えることない。
【００１４】
また、ＤＨＣＰ機能により付与されるＩＰアドレスに基づいてＥＳＳＩＤを自動生成する構成とした場合には、人手によりＥＳＳＩＤを生成して設定する手間を省くことができ、ＥＳＳＩＤの生成及び設定作業を容易に行うことができる。
【図面の簡単な説明】
【００１５】
【図１】本発明の実施形態に係るローミング機能を備えたカラオケシステムの概要を示す機能説明図。
【図２】本発明の実施形態に係るローミング機能を備えたカラオケシステムを適用するカラオケ演奏端末の構成を示すブロック図。
【図３】ＥＳＳＩＤの設定処理を示すフローチャート。
【発明を実施するための形態】
【００１６】
以下、図面を参照して、本発明のローミング機能を備えたカラオケシステムの実施形態について説明する。図１〜図３は本発明の実施形態に係るローミング機能を備えたカラオケシステムを示すもので、図１はローミング機能を備えたカラオケシステムの機能説明図、図２はローミング機能を備えたカラオケシステムを適用するカラオケ演奏端末のブロック図、図３はＥＳＳＩＤの設定処理を示すフローチャートである。
【００１７】
＜ローミング機能を備えたカラオケシステムの概要＞
本発明の実施形態に係るローミング機能を備えたカラオケシステム１０は、図１に示すように、ネットワークにおいて同一のセグメントに接続された複数の無線アクセスポイント４０と、少なくとも１つ以上のカラオケ演奏端末２０とを備えている。そして、無線通信機能を備えたカラオケリモコン装置２２が、無線アクセスポイント４０のいずれか１つとの間で無線通信を行うことにより、当該カラオケリモコン装置２２と関連付けられたカラオケ演奏端末２０において選曲予約等の操作を行うことが可能なカラオケシステム１０である。
【００１８】
このカラオケシステム１０は、カラオケリモコン装置２２と無線アクセスポイント４０との間で接続が途絶えた場合であっても、速やかに他の無線アクセスポイント４０との間における接続を確立するため、ＥＳＳＩＤ設定手段４０ａと、ローミング手段２２ｃとを備えている。ＥＳＳＩＤ設定手段４０ａは、各無線アクセスポイント４０に設置された機能手段であり、ローミング手段２２ｃは、カラオケリモコン装置２２に設置された機能手段である。
【００１９】
＜無線アクセスポイント＞
カラオケ演奏端末２０とルータ３０を介して接続されたネットワークにおける同一のセグメントには、複数の無線アクセスポイント４０が接続されている。そして、各無線アクセスポイント４０は、ＥＳＳＩＤ設定手段４０ａの機能により同一のＥＳＳＩＤが設定される。
【００２０】
＜ＥＳＳＩＤ設定手段＞
ＥＳＳＩＤ設定手段４０ａは、ネットワークにおいて同一のセグメントに接続された複数の無線アクセスポイント４０に対して、同一のＥＳＳＩＤを設定するための電子機器及びプログラムからなる。すなわち、ＥＳＳＩＤ設定手段４０ａは、所定のアルゴリズムに従ってＥＳＳＩＤを自動生成し、生成した同一のＥＳＳＩＤを同一のセグメントに接続された各無線アクセスポイント４０に対して設定する。なお、当該セグメントに接続されたカラオケ演奏端末２０で使用するカラオケリモコン装置２２に対しては、サービス作業員やカラオケ店員により、ＥＳＳＩＤ設定手段４０ａにより自動設定されたＥＳＳＩＤと同一のＥＳＳＩＤが設定される。
【００２１】
ＥＳＳＩＤは、当該ネットワークにおいてルータ３０が備えるＤＨＣＰサーバ３０ａの機能により付与されるＩＰアドレスに基づいて自動生成することができる。具体的には、図３に示すように、各無線アクセスポイント４０において電源が投入されると（Ｓ１）、ＤＨＣＰサーバ３０ａよりＩＰアドレスを取得する（Ｓ２）。ＩＰアドレスが取得できると（Ｓ３）、取得したＩＰアドレスを用いて所定のアルゴリズムによりＥＳＳＩＤを生成して、生成したＥＳＳＩＤを設定する（Ｓ４）。
【００２２】
ＥＳＳＩＤの生成及び設定が終了すると、当該無線アクセスポイント４０の無線インターフェースを、設定したＥＳＳＩＤで起動する（Ｓ５）。これにより、各無線アクセスポイント４０において同一のＥＳＳＩＤを設定することができる。
【００２３】
＜カラオケ演奏端末＞
以下、本発明の実施形態に係るローミング機能を備えたカラオケシステム１０を適用したカラオケ演奏端末２０について説明する。本発明の実施形態に係るカラオケ演奏端末２０は、図２に示すように、カラオケ本体２１、カラオケリモコン装置２２、スピーカ２３、マイクロホン２４、表示装置２５、ミキシングアンプ２６を備えている。このカラオケ演奏端末２０は、ルータ３０を介して、複数の無線アクセスポイント４０と接続されている。なお、ＬＡＮ接続されたネットワーク上には、他のカラオケ演奏端末２０が存在していてもよい。
【００２４】
＜カラオケリモコン装置＞
カラオケリモコン装置２２は、ユーザインタフェース機能を備えており、ネットワークにおける同一のセグメントに接続された複数の無線アクセスポイント４０のいずれか１つと無線通信を行うことにより、当該カラオケリモコン装置２２と関連付けられたカラオケ演奏端末２０において、選曲予約等の操作を行うための装置である。このカラオケリモコン装置２２は、楽曲検索手段２２ａとして機能するプログラム、楽曲索引データベース２２ｂ、ローミング手段２２ｃとして機能する電子回路及びプログラム、データの送受信を行うための電子回路及びプログラム、フラッシュメモリ等からなる記憶手段（図示せず）を備えている。このカラオケリモコン装置２２に付帯するスイッチ類や、入出力表示部に表示される各種のアイコン等を操作することにより、選曲操作等が行われる。
【００２５】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏端末２０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２６】
＜ローミング手段＞
ローミング手段２２ｃは、任意のカラオケリモコン装置２２が無線通信を行っている任意の無線アクセスポイント４０との接続が途絶えた場合に、同一のＥＳＳＩＤが付与された他の無線アクセスポイント４０のいずれか１つにローミングを行うための電子回路及びプログラムからなる。例えば、図１に示すように、カラオケリモコン装置２２が無線アクセスポイント４０との間で無線通信を行っていたが、何らかの原因で接続が途絶えると、今まで接続を行っていた無線アクセスポイント４０に代えて、同一のＥＳＳＩＤが付与された他の無線アクセスポイント４０の中から、電波強度が最も強い無線アクセスポイント４０との接続を確立させる。これにより、通信アプリケーションにより、今まで接続を行っていた同一の無線アクセスポイント４０との再接続を試みるよりも時間をかけずに、他の無線アクセスポイント４０との接続が確立するので（ローミングを行うことができるので）、カラオケリモコン装置２２を用いた選曲予約等の操作を行うことができない期間を最小限に抑えることができる。
【００２７】
上述したように、カラオケ演奏端末２０で使用するカラオケリモコン装置２２に対しては、サービス作業員やカラオケ店員により、ＥＳＳＩＤ設定手段４０ａにより自動設定されたＥＳＳＩＤと同一のＥＳＳＩＤを設定する。これにより、当該カラオケリモコン装置２２に関連付けられたカラオケ演奏端末２０と、ネットワークにおいて同一のセグメントに接続された複数の無線アクセスポイント４０とを用いて選曲予約等の操作を行うことが可能となる。
【００２８】
＜マイクロホン＞
マイクロホン２４は、歌唱音声の入力を行うための装置であり、マイクロホン２４から入力された歌唱音声信号はミキシングアンプ２６に入力され、音楽再生制御手段３７から送出される演奏音声信号とミキシングされると共に増幅されてスピーカ２３へ出力される。
【００２９】
＜表示装置＞
表示装置２５は、カラオケ楽曲に関連した背景映像や歌詞テロップ等を表示するための装置で、例えば、液晶ディスプレイ等により構成される。
【００３０】
＜カラオケ本体＞
カラオケ本体２１は、ネットワーク送受信手段３１、中央制御手段３２、ＲＯＭ３３、ＲＡＭ３４、ＨＤＤ３５、予約管理手段３６、音楽再生制御手段３７、映像再生制御手段３８を備えている。また、カラオケ本体２１は、ルータ３０を介して、複数の無線アクセスポイント４０とＬＡＮ接続されている。
【００３１】
＜ネットワーク送受信手段＞
ネットワーク送受信手段３１は、カラオケ本体２１とルータ３０との間で、データの送受信を行うための電子回路及びプログラムからなる。
【００３２】
＜中央制御手段＞
中央制御手段３２は、カラオケ本体２１を総合的に制御するための手段であり、例えばＣＰＵ及びその周辺機器により構成されており、ＣＰＵ等がＲＯＭ３３等に記憶されたプログラムに従って動作することにより、制御機能を発揮することができるようになっている。
【００３３】
＜ＲＯＭ／ＲＡＭ＞
ＲＯＭ３３は、カラオケ本体２１を構成する各機器を制御するためのプログラムデータや数値データを記憶するための機器で、例えば半導体メモリ等で構成される。また、ＲＡＭ３４は、プログラムや各種データを一時的に記憶する一時記憶領域として機能するもので、例えば半導体メモリ等で構成される。なお、物理的な半導体メモリによりＲＡＭ３４を構成するのではなく、ハードディスク記憶装置等を用いて仮想的なＲＡＭ３４を構成してもよい。本実施形態では、ＲＡＭ３４に、予約待ち行列３４ａが記憶されるようになっている。
【００３４】
＜予約待ち行列＞
予約待ち行列３４ａは、選曲予約されたカラオケ楽曲について、演奏順に、楽曲ＩＤを並べたデータテーブルである。なお、予約待ち行列３４ａは、少なくとも演奏順に並べた楽曲ＩＤを構成データとしていればよいが、選曲予約者の利用者ＩＤ等を含んでいてもよい。
【００３５】
＜ＨＤＤ＞
ＨＤＤ３５は、大容量記憶装置として機能するもので、楽曲データベース３５ａ、映像データベース３５ｂが格納されている。なお、ＨＤＤ３５に替えて、あるいはＨＤＤ３５と共に、データを書き替え可能なＤＶＤ等の大容量記憶装置を用いてもよい。
【００３６】
＜楽曲データベース／映像データベース＞
楽曲データベース３５ａは、演奏制御データ（例えば、ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース３５ｂは、演奏されるカラオケ楽曲に対応した背景映像を、当該カラオケ楽曲の楽曲ＩＤに対応させた映像ファイルとして所定数格納したデータである。
【００３７】
＜予約管理手段＞
予約管理手段３６は、利用者により楽曲検索手段２２ａの機能を用いて選曲された楽曲ＩＤを演奏順に並べて予約待ち行列３４ａを生成し、この予約待ち行列３４ａをＲＡＭ３４に格納して管理するためのプログラムからなる。
【００３８】
＜音楽再生制御手段＞
音楽再生制御手段３７は、楽曲ＩＤに基づいて楽曲データベース３５ａから取得された演奏制御データに基づいて、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３７から送出される演奏音声信号とをミキシングすると共に、アンプ機能により増幅してスピーカ２３より出力させるための装置である。
【００３９】
＜映像再生制御手段＞
映像再生制御手段３８は、カラオケ楽曲の演奏中に、映像データベース３５ｂから取得した背景映像データと、楽曲データベース３５ａに含まれる歌詞描出データ（テロップデータ）とを、当該カラオケ楽曲の演奏データに同期させて表示装置２５に出力するためのプログラムからなる。
【００４０】
＜他の実施形態＞
本発明のローミング機能を備えたカラオケシステム１０を適用したカラオケ演奏端末２０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４１】
さらに、各カラオケ店に設置されたカラオケ演奏装置２０と、管理サーバや楽曲配信サーバとを、ネットワークを介して接続することにより、利用者情報等を一元管理することができ、また、新曲や各種の情報をいち早く配信することができる。
【符号の説明】
【００４２】
１０  カラオケシステム
２０  カラオケ演奏端末
２１  カラオケ本体
２２  カラオケリモコン装置
２２ａ  楽曲検索手段
２２ｂ  楽曲索引データベース
２２ｃ  ローミング手段
２３  スピーカ
２４  マイクロホン
２５  表示装置
２６  ミキシングアンプ
３０  ルータ
３０ａ  ＤＨＣＰサーバ
３１  ネットワーク送受信手段
３２  中央制御手段
３３  ＲＯＭ
３４  ＲＡＭ
３４ａ  予約待ち行列
３５  ＨＤＤ
３５ａ  楽曲データベース
３５ｂ  映像データベース
３６  予約管理手段
３７  音楽再生制御手段
３８  映像再生制御手段
４０  無線アクセスポイント
４０ａ  ＥＳＳＩＤ設定手段
【図１】
0005687998.tif 000002
【図２】
0005687998.tif 000003
【図３】
0005687998.tif 000004